(57)【要約】【課題】  小型化を図る。【解決手段】  車輌用灯具を構成する所定の部材に対して着脱可能とされたハウジング２と、基板６と基板に搭載された第１の発光素子７と基板に搭載された第２の発光素子８とを有しハウジングに保持される照明体３とを備え、基板には第１の発光素子が搭載された第１の搭載面部１４と第２の発光素子が搭載された第２の搭載面部２２とが設けられ、第１の搭載面部と第２の搭載面部は少なくとも一部が発光素子の光軸方向において離隔して重なる状態で位置され、第１の発光素子と第２の発光素子が光軸方向に直交する方向においてずれて位置された。【選択図】図２
2015216074.tif 000002
【特許請求の範囲】
【請求項１】
車輌用灯具を構成する所定の部材に対して着脱可能とされたハウジングと、
基板と前記基板に搭載された第１の発光素子と前記基板に搭載された第２の発光素子とを有し前記ハウジングに保持される照明体とを備え、
前記基板には前記第１の発光素子が搭載された第１の搭載面部と前記第２の発光素子が搭載された第２の搭載面部とが設けられ、
前記第１の搭載面部と前記第２の搭載面部は少なくとも一部が前記発光素子の光軸方向において離隔して重なる状態で位置され、
前記第１の発光素子と前記第２の発光素子が前記光軸方向に直交する方向においてずれて位置された
照明ユニット。
【請求項２】
前記第１の搭載面部が前記第２の搭載面部より前記光軸方向において前記発光素子から出射される光の出射方向側に位置され、
前記第１の搭載面部に前記第２の発光素子から出射される光が透過される光透過孔が形成された
請求項１に記載の照明ユニット。
【請求項３】
前記基板に前記第１の発光素子の点消灯制御を行う第１の制御素子が配置される第１の配置面部と前記第２の発光素子の点消灯制御を行う第２の制御素子が配置される第２の配置面部とが設けられ、
前記第１の搭載面部が前記第１の配置面部に対して９０°折り曲げられ、
前記第２の搭載面部が前記第２の配置面部に対して９０°折り曲げられた
請求項１又は請求項２に記載の照明ユニット。
【請求項４】
前記第１の搭載面部と前記第２の搭載面部に結合されるキャップが設けられ、
前記キャップがカバー部と前記カバー部から突出された係合突部とを有し、
前記第１の搭載面部に第１の係合部が形成され、
前記第２の搭載面部に第２の係合部が形成され、
前記係合突部が前記第１の係合部と前記第２の係合部に係合されて前記キャップが前記第１の搭載面部と前記第２の搭載面部に結合される
請求項１、請求項２又は請求項３に記載の照明ユニット。
【請求項５】
前記カバー部に前記第１の発光素子と前記第２の発光素子からそれぞれ出射される光が透過される光透過用開口が形成され、
前記カバー部と前記基板が前記ハウジングの内側に位置された
請求項４に記載の照明ユニット。
【発明の詳細な説明】
【技術分野】
【０００１】
本発明は、基板と基板に搭載された発光素子とを有する照明体を備えた照明ユニットについての技術分野に関する。
【先行技術文献】
【特許文献】
【０００２】
【特許文献１】特開２０１３−２００９７３号公報
【背景技術】
【０００３】
車輌用灯具には、例えば、ランプボデイとカバーによって構成された灯具外筐に対して着脱可能とされた照明ユニットが設けられ、照明ユニットの光源として発光ダイオード等の発光素子が用いられたものがある。
【０００４】
このような照明ユニットは、バスバー等の基板と基板に搭載された発光素子と基板に配置され発光素子の点消灯制御を行う制御素子とを有している（例えば、特許文献１参照）。
【０００５】
特許文献１に記載された照明ユニットにあっては、前後方向を向く平板状の基板に半導体発光素子と制御素子が搭載され、基板を保持するハウジングがランプボデイに取り付けられている。
【発明の概要】
【発明が解決しようとする課題】
【０００６】
ところで、複数の発光素子から光が出射されるように構成された照明ユニットにおいては、製造上の観点において発光素子間の距離を一定以上離隔して基板に搭載する必要がある。
【０００７】
従って、特許文献１に記載された照明ユニットのように、基板上に複数の発光素子が搭載される構成にあっては、搭載される発光素子の数に応じて基板の面積が大きくなり、照明ユニットの小型化に支障を来してしまう。
【０００８】
そこで、本発明照明ユニットは、上記した問題点を克服し、小型化を図ることを目的とする。
【課題を解決するための手段】
【０００９】
第１に、本発明に係る照明ユニットは、車輌用灯具を構成する所定の部材に対して着脱可能とされたハウジングと、基板と前記基板に搭載された第１の発光素子と前記基板に搭載された第２の発光素子とを有し前記ハウジングに保持される照明体とを備え、前記基板には前記第１の発光素子が搭載された第１の搭載面部と前記第２の発光素子が搭載された第２の搭載面部とが設けられ、前記第１の搭載面部と前記第２の搭載面部は少なくとも一部が前記発光素子の光軸方向において離隔して重なる状態で位置され、前記第１の発光素子と前記第２の発光素子が前記光軸方向に直交する方向においてずれて位置されたものである。
【００１０】
これにより、第１の発光素子が搭載された第１の搭載面部と第２の発光素子が搭載された第２の搭載面部の少なくとも一部が発光素子の光軸方向において離隔して重なる状態で位置される。
【００１１】
第２に、上記した本発明に係る照明ユニットにおいては、前記第１の搭載面部が前記第２の搭載面部より前記光軸方向において前記発光素子から出射される光の出射方向側に位置され、前記第１の搭載面部に前記第２の発光素子から出射される光が透過される光透過孔が形成されることが望ましい。
【００１２】
これにより、第１の搭載面部と第２の搭載面部が重なった状態において第２の発光素子から出射される光が光透過孔を透過され、第２の発光素子から出射される光が第１の搭載面部によって遮蔽されない。
【００１３】
第３に、上記した本発明に係る照明ユニットにおいては、前記基板に前記第１の発光素子の点消灯制御を行う第１の制御素子が配置される第１の配置面部と前記第２の発光素子の点消灯制御を行う第２の制御素子が配置される第２の配置面部とが設けられ、前記第１の搭載面部が前記第１の配置面部に対して９０°折り曲げられ、前記第２の搭載面部が前記第２の配置面部に対して９０°折り曲げられることが望ましい。
【００１４】
これにより、第１の搭載面部及び第２の搭載面部が第１の配置面部及び第２の配置面部に対して直交する方向を向く。
【００１５】
第４に、上記した本発明に係る照明ユニットにおいては、前記第１の搭載面部と前記第２の搭載面部に結合されるキャップが設けられ、前記キャップがカバー部と前記カバー部から突出された係合突部とを有し、前記第１の搭載面部に第１の係合部が形成され、前記第２の搭載面部に第２の係合部が形成され、前記係合突部が前記第１の係合部と前記第２の係合部に係合されて前記キャップが前記第１の搭載面部と前記第２の搭載面部に結合されることが望ましい。
【００１６】
これにより、キャップが第１の搭載面部と第２の搭載面部に取り付けられることにより第１の発光素子に対する第２の発光素子の光軸方向に直交する方向における位置決めが行われる・
第５に、上記した本発明に係る照明ユニットにおいては、前記カバー部に前記第１の発光素子と前記第２の発光素子からそれぞれ出射される光が透過される光透過用開口が形成され、前記カバー部と前記基板が前記ハウジングの内側に位置されることが望ましい。
【００１７】
これにより、キャップによって位置決めされた第１の発光素子と第２の発光素子から出射される光が光透過用開口を透過され、第１の発光素子と第２の発光素子から出射される光がキャップによって遮蔽されない。
【発明の効果】
【００１８】
本発明によれば、第１の発光素子が搭載された第１の搭載面部と第２の発光素子が搭載された第２の搭載面部の少なくとも一部が発光素子の光軸方向において離隔して重なる状態で位置されるため、第１の搭載面部に搭載された第１の発光素子と第２の搭載面部に搭載された第２の発光素子との光軸方向に直交する方向における距離を小さくすることが可能になり、照明ユニットの小型化を図ることができる。
【図面の簡単な説明】
【００１９】
【図１】図２乃至図４と共に本発明の第１の実施の形態を示すものであり、本図は、照明ユニットの斜視図である。
【図２】照明体をキャップを分離した状態で示す斜視図である。
【図３】照明体の展開図である。
【図４】別のキャップが用いられた例を示す分解斜視図である。
【図５】図６と共に本発明の第２の実施の形態を示すものであり、本図は、照明体の斜視図である。
【図６】照明体の展開図である。
【図７】図８及び図９と共に本発明の第３の実施の形態を示すものであり、本図は、照明体の斜視図である。
【図８】第１の嵌合部材等を示す斜視図である。
【図９】第２の嵌合部材等を示す斜視図である。
【図１０】発光素子がカバーレンズに保護された状態を示す概略拡大断面図である。
【図１１】発光素子が封止樹脂に保護された状態を示す概略拡大断面図である。
【図１２】第２の発光素子を保護するカバーレンズが凸状に形成された例を示す概略拡大断面図である。
【図１３】第１の発光素子を保護するカバーレンズが凹状に形成された例を示す概略拡大断面図である。
【発明を実施するための形態】
【００２０】
以下に、本発明照明ユニットを実施するための形態について添付図面を参照して説明する。
【００２１】
以下に示した実施の形態は、本発明照明ユニットをストップランプ及びテールランプの機能を有するコンビネーションランプにおいて用いられる照明ユニットに適用したものである。但し、本発明の適用範囲はストップランプ及びテールランプの機能を有するコンビネーションランプにおいて用いられる照明ユニットに限られることはない。
【００２２】
本発明は、ヘッドランプ、クリアランスランプ、テールランプ、ターンシグナルランプ、ストップランプ、デイタイムランニングランプ、コーナーリングランプ、ハザードランプ、ポジションランプ、バックランプ、フォグランプ等又はこれらの組み合わせであるコンビネーションランプ等の各種の車輌用灯具に用いられる照明ユニットに広く適用することができる。
【００２３】
以下の説明においては、光軸方向を前後方向とし光の出射方向を後方として前後上下左右の方向を示すものとする。尚、以下に示す前後上下左右の方向は説明の便宜上のものであり、本発明の実施に関しては、これらの方向に限定されることはない。
【００２４】
先ず、第１の実施の形態について説明する（図１乃至図４参照）。
【００２５】
第１の実施の形態に係る照明ユニット１はハウジング２と照明体３を有している（図１参照）。
【００２６】
ハウジング２は樹脂等の絶縁材料によって形成され、前後に貫通する筒状に形成された外筒部４と外筒部４の内部に設けられた図示しない取付部とを有している。外筒部４の外周面には係止用突部５、５、・・・が周方向に離隔して設けられている。
【００２７】
ハウジング２は、後方に開口された凹部を有するランプボデイとランプボデイの開口面を閉塞するカバーとを有する図示しない灯具外筐又は灯具外筐の内部に配置されるブラケット等の図示しない取付部材に対して着脱可能とされている。ハウジング２は係止用突部５、５、・・・が、例えば、ランプボデイの図示しない係止部に係止されてランプボデイに取り付けられる。
【００２８】
照明体３は、図２及び図３に示すように、所定の形状に折り曲げられた基板６と基板６に搭載された第１の発光素子７、７、・・・と基板６に搭載された第２の発光素子８と基板６に配置された第１の制御素子９、９、・・・と基板６に配置された第２の制御素子１０、１０、・・・とを有している。第１の制御素子９、９、・・・及び第２の制御素子１０、１０、・・・としては、例えば、抵抗やコンデンサーやリレー等が用いられている。
【００２９】
基板６は、例えば、金属板であるバスバーであり、第１の面状部１１と第２の面状部１２を有している。基板６としては、バスバーの他に、例えば、屈曲性の高いフレキシブルプリント配線板、金属ベースにフレキシブルプリント配線板やポリカーボネイト製の配線板が接合された接合板等が用いられるが、一定の剛性の確保や製造コストの低減を図る上では、バスバーが用いられることが望ましい。
【００３０】
第１の面状部１１は第１の配置面部１３と第１の搭載面部１４と連結面部１５、１５と第１の端子部１６と第２の端子部１７とから成る。
【００３１】
第１の配置面部１３は、例えば、上下方向を向き、複数の導通部１８、１８、・・・がそれぞれ所定の位置に配置されて構成されている。一つの導通部１８の後端部には上下に貫通された結合孔１８ａ、１８ａが形成されている。導通部１８、１８、・・・の外面には第１の発光素子７、７、・・・の点消灯制御等を行う第１の制御素子９、９、・・・が配置され、第１の制御素子９、９、・・・は隣接する導通部１８、１８、・・・に跨って配置されている。
【００３２】
第１の搭載面部１４は前後方向を向き四つの搭載部１９、１９、・・・と一つの導通部１８に連続する接続片部２０とから成る。搭載部１９、１９、・・・は上下左右に離隔して位置され、前後に貫通された係合孔１９ａ、１９ａ、・・・を有している。係合孔１９ａ、１９ａ、・・・は第１の係合部として機能する。搭載部１９、１９、・・・は上下左右に離隔して位置されているため、搭載部１９、１９、・・・間には十字状のスリットが形成され、この十字の交点部分が光透過孔１４ａとして形成されている。一つの搭載部１９と接続片部２０は導通部１８、１８の後縁にそれぞれ連続され、当該導通部１８、１８に対して直角に折り曲げられて形成されている。
【００３３】
連結面部１５、１５は前後方向を向き導通部１８、１８の前縁にそれぞれ連続され、当該導通部１８、１８に対して直角に折り曲げられて形成されている。連結面部１５、１５は導通部１８、１８に対する折曲方向が導通部１８、１８に対する搭載部１９の折曲方向と同じにされている。
【００３４】
第１の端子部１６は前後に延びる細幅の形状に形成され、一方の連結面部１５の一端縁に連続され、連結面部１５に対して直角に折り曲げられて形成されている。第１の端子部１６は二つ折りにされて厚みが厚くされている。
【００３５】
第２の端子部１７は前後に延びる細幅の形状に形成され、他方の連結面部１５の一端縁に連続され、連結面部１５に対して直角に折り曲げられて形成されている。
【００３６】
第１の発光素子７、７、・・・は四つが設けられ、それぞれ搭載部１９、１９、・・・の近接する角部の後面に搭載されている。第１の発光素子７、７、・・・としては、例えば、発光ダイオード（ＬＥＤ: Light Emitting Diode）が用いられている。第１の発光素子７、７、・・・は、例えば、ストップランプ用の光源として用いられる。
【００３７】
第１の発光素子７、７、・・・はワイヤー状の接続線７ａ、７ａ、・・・によって搭載された搭載部１９、１９、・・・に隣接する搭載部１９、１９、１９又は接続片部２０に接続されている。従って、第１の発光素子７、７、・・・は接続線７ａ、７ａ、・・・によって搭載部１９、１９、１９及び接続片部２０を介して直列に接続されている。
【００３８】
第２の面状部１２は第２の配置面部２１と第２の搭載面部２２と連結面部２３、２３と第３の端子部２４と第４の端子部２５とから成る。
【００３９】
第２の配置面部２１は、例えば、上下方向を向き、複数の導通部２６、２６、・・・がそれぞれ所定の位置に配置されて構成されている。第２の配置面部２１は第１の配置面部１３の真上又は真下に位置されている。導通部２６、２６、・・・の外面には第２の発光素子８の点消灯制御等を行う第２の制御素子１０、１０、・・・が配置され、第２の制御素子１０、１０、・・・は隣接する導通部２６、２６、・・・に跨って配置されている。
【００４０】
第２の搭載面部２２は前後方向を向き搭載部２７と結合部２８と導通部２６に連続する接続片部２９とから成る。搭載部２７と結合部２８は上下に離隔して位置されている。搭載部２７には前後に貫通された係合孔２７ａ、２７ａが形成されている。搭載部２７には結合部２８側に突出された突状部２７ｂが設けられている。結合部２８には前後に貫通された係合孔２８ａ、２８ａが形成されている。結合部２８には搭載部２７と反対方向へ突出された結合片２８ｂ、２８ｂが形成されている。
【００４１】
搭載部２７の係合孔２７ａ、２７ａと結合部２８の係合孔２８ａ、２８ａとは第２の係合部として機能する。
【００４２】
結合部２８には搭載部２７側に開口された凹部２８ｃが形成されている。搭載部２７に設けられた突状部２７ｂは結合部２８の凹部２８ｃに位置されている。
【００４３】
搭載部２７と接続片部２９は導通部２６、２６の後縁にそれぞれ連続され、当該導通部２６、２６に対して直角に折り曲げられて形成されている。
【００４４】
第２の搭載面部２２は結合片２８ｂ、２８ｂがそれぞれ結合孔１８ａ、１８ａに挿入されて嵌合され第１の配置面部１３に結合されている。
【００４５】
第２の搭載面部２２と第１の配置面部１３が結合された状態において、第２の搭載面部２２は第１の搭載面部１４の前側に位置され、第１の搭載面部１４に対向して位置される。従って、第１の搭載面部１４と第２の搭載面部２２は全体が前後方向において離隔して重なる状態で位置されている。前後方向は第１の発光素子７、７、・・・と第２の発光素子８の光軸方向であり、第１の搭載面部１４と第２の搭載面部２２は光軸方向において離隔して重なる状態で位置される。
【００４６】
尚、上記には、第１の搭載面部１４と第２の搭載面部２２の全体が前後方向において離隔して重なる状態で位置された例を示したが、第１の搭載面部１４と第２の搭載面部２２の一部が前後方向において離隔して重なる状態で位置されていてもよい。
【００４７】
第１の搭載面部１４と第２の搭載面部２２が光軸方向において離隔し重なるように位置された状態において、第２の発光素子８は第１の発光素子７、７、・・・間の中央部に位置される。従って、第１の発光素子７、７、・・・と第２の発光素子８は光軸方向に直交する方向においてずれて位置される。
【００４８】
連結面部２３、２３は前後方向を向き導通部２６、２６の前縁にそれぞれ連続され、当該導通部２６、２６に対して直角に折り曲げられて形成されている。連結面部２３、２３は導通部２６、２６に対する折曲方向が導通部２６、２６に対する搭載部２７の折曲方向と同じにされている。
【００４９】
第３の端子部２４は前後に延びる細幅の形状に形成され、一方の連結面部２３の一端縁に連続され、連結面部２３に対して直角に折り曲げられて形成されている。第３の端子部２４は二つ折りにされて厚みが厚くされている。
【００５０】
第４の端子部２５は前後に延びる細幅の形状に形成され、他方の連結面部２３の一端縁に連続され、連結面部２３に対して直角に折り曲げられて形成されている。尚、第４の端子部２５は第２の端子部１７と一体に形成され所定の位置で折り曲げられることにより折り曲げられた部分の反対側の部分がそれぞれ第４の端子部２５と第２の端子部１７として形成される。
【００５１】
第１の面状部１１の第２の端子部１７と第２の面状部１２の第４の端子部２５はそれぞれグラウンド用の端子部として機能する。
【００５２】
第２の発光素子８は搭載部２７の突状部２７ｂの後面に搭載されている。第２の発光素子８としては、例えば、発光ダイオードが用いられている。第２の発光素子８は、例えば、テールランプ用の光源及びストップランプ用の光源として用いられる。
【００５３】
第２の発光素子８はワイヤー状の接続線８ａによって結合部２８に接続されている。第２の発光素子８は第１の搭載面部１４の光透過孔１４ａの真正面に位置されている。
【００５４】
尚、照明体３の基板６は、上記のように、各部が折り曲げられて形成され、折り曲げられる前の状態においては、図３に示すように、一枚の板状の金属材料を打ち抜いて各部が形成される。従って、基板６の加工を容易に行うことが可能であり、製造時間の短縮化及び製造コストの低減を図ることができる。
【００５５】
基板６の搭載部１９、１９、・・・と搭載部２７と結合部２８にはキャップ３０が取り付けられている（図１及び図２参照）。キャップ３０は外形状が円形状に形成され前後方向を向く板状のカバー部３１とカバー部３１から前方に突出された係合突部３２、３２、・・・とが樹脂等の絶縁材料によって一体に形成されて成る。
【００５６】
カバー部３１の中心部には前後に貫通された光透過用開口３１ａが形成されている。カバー部３１の外周部には前後に貫通された放熱孔３１ｂ、３１ｂ、・・・が周方向に離隔して形成されている。放熱孔３１ｂ、３１ｂ、・・・からは第１の発光素子７、７、・・・及び第２の発光素子８の駆動時に第１の制御素子９、９、・・・や第２の制御素子１０、１０、・・・において発生する熱が放出される。
【００５７】
キャップ３０は係合突部３２、３２、・・・がそれぞれ搭載部１９、１９、・・・の係合孔１９ａ、１９ａ、・・・に嵌合された状態で貫通され、さらにそれぞれ搭載部２７の係合孔２７ａ、２７ａと結合部２８の係合孔２８ａ、２８ａに嵌合された状態で挿通されることにより搭載部１９、１９、・・・と搭載部２７と結合部２８に取り付けられる。キャップ３０が搭載部１９、１９、・・・と搭載部２７と結合部２８に取り付けられることにより、第１の搭載面部１４と第２の搭載面部２２が光軸方向に直交する方向において位置決めされ、第１の発光素子７、７、・・・に対する第２の発光素子８の光軸方向に直交する方向における位置決めが行われる。
【００５８】
従って、キャップ３０が第１の搭載面部１４と第２の搭載面部２２に取り付けられることにより第１の発光素子７、７、・・・に対する第２の発光素子８の光軸方向に直交する方向における位置決めが行われるため、第１の発光素子７、７、・・・に対する第２の発光素子８の光軸方向に直交する方向における位置決めを容易かつ確実に行うことができる。
【００５９】
上記のように構成された照明体３は、第１の面状部１１の第１の端子部１６及び第２の端子部１７と第２の面状部１２の第３の端子部２４と第４の端子部２５がハウジング２に形成された図示しないソケット部に配置されて図示しない電源回路に接続される。従って、第１の発光素子７、７、・・・と第２の発光素子８はそれぞれ第１の面状部１１と第２の面状部１２を介して電源回路に接続され、電源回路から第１の発光素子７、７、・・・にストップランプ用の駆動電流が供給され、第２の発光素子８にテールランプ用の駆動電流が供給される。
【００６０】
第１の発光素子７、７、・・・から出射された光はキャップ３０の光透過用開口３１ａを透過されて灯具外筐のカバーを介して後方へ向けて照射される。第２の発光素子８から出射された光は第１の搭載面部１４の光透過孔１４ａ及びキャップ３０の光透過用開口３１ａを透過されて灯具外筐のカバーを介して後方へ向けて照射される。
【００６１】
照明ユニット１がストップランプとして機能するときには第１の発光素子７、７、・・・から光が出射され、照明ユニット１がテールランプとして機能するときには第２の発光素子８から光が出射される。
【００６２】
上記のように、キャップ３０のカバー部３１には第１の発光素子７、７、・・・と第２の発光素子８からそれぞれ出射される光が透過される光透過用開口３１ａが形成されている。従って、キャップ３０によって位置決めされた第１の発光素子７、７、・・・と第２の発光素子８から出射される光が光透過用開口３１ａを透過され、第１の発光素子７、７、・・・と第２の発光素子８から出射される光がキャップ３０によって遮蔽されず、照明ユニット１における光の良好な照射状態を確保することができる。
【００６３】
尚、上記には、搭載部１９、１９、・・・の係合孔１９ａ、１９ａ、・・・等に嵌合される係合突部３２、３２、・・・を有するキャップ３０を例として示したが、例えば、キャップ３０に代えて以下に示すキャップ３０Ａが用いられてもよい（図４参照）。
【００６４】
キャップ３０Ａはカバー部３１とカバー部３１の外周部から前方に突出された係合突部３２Ａ、３２Ａとが樹脂等の絶縁材料によって一体に形成されて成る。係合突部３２Ａ、３２Ａはカバー部３１の中心を挟んで１８０°反対側に位置されている。係合突部３２Ａ、３２Ａ間の距離は第１の配置面部１３の外面と第２の配置面部２１の外面との距離と略同じにされている。
【００６５】
尚、キャップ３０Ａが用いられる場合には搭載部１９、１９、・・・と搭載部２７と結合部２８に係合孔が形成されていない。
【００６６】
キャップ３０Ａは係合突部３２Ａ、３２Ａが第１の配置面部１３と第２の配置面部２１を挟持する状態で基板６に外嵌状に取り付けられる。従って、係合突部３２Ａ、３２Ａによって第１の配置面部１３と第２の配置面部２１のそれぞれ外側への開きが規制され、第１の発光素子７、７、・・・と第２の発光素子８の間の位置決めを容易かつ確実に行うことができる。
【００６７】
また、キャップ３０Ａが基板６に取り付けられることにより、第１の搭載面部１４と第２の搭載面部２２が光軸方向に直交する方向において位置決めされ、第１の発光素子７、７、・・・に対する第２の発光素子８の光軸方向に直交する方向における位置決めが行われる。従って、キャップ３０に代えてキャップ３０Ａが用いられた場合にも第１の発光素子７、７、・・・に対する第２の発光素子８の位置決めを容易かつ確実に行うことができる。
【００６８】
次に、第２の実施の形態について説明する（図５及び図６参照）。
【００６９】
尚、以下に示す第２の実施の形態に係る照明ユニットは、上記した第１の実施の形態に係る照明ユニット１と比較して、キャップが設けられておらず第１の発光素子に対する第２の発光素子の位置決めがキャップ以外の手段によって行われていることのみが相違するため、照明ユニット１と比較して異なる部分についてのみ詳細に説明をし、その他の部分については照明ユニット１における同様の部分に付した符号と同じ符号を付して説明は省略する。
【００７０】
第２の実施の形態に係る照明ユニットはハウジング２と照明体３Ａを有している。
【００７１】
照明体３Ａは、図５に示すように、所定の形状に折り曲げられた基板６Ａと第１の発光素子７、７、・・・と第２の発光素子８と第１の制御素子９、９、・・・と第２の制御素子１０、１０、・・・を有している。
【００７２】
基板６Ａは、例えば、金属板であるバスバーであり、第１の面状部１１Ａと第２の面状部１２Ａを有している（図５及び図６参照）。
【００７３】
第１の面状部１１Ａは第１の配置面部１３と第１の搭載面部１４と連結面部１５、１５と第１の端子部１６と第２の端子部１７と結合片部３３、３３から成る。
【００７４】
結合片部３３、３３はそれぞれ第１の搭載面部１４における搭載部１９、１９の一端部から突出され、第１の搭載面部１４に対して直角に折り曲げられて形成されている。結合片部３３は搭載部１９に連続する延設部３３ａと延設部３３ａの先端部から延設部３３ａに対して直交する方向へ突出された結合用突部３３ｂとから成る。
【００７５】
第２の面状部１２Ａは第２の配置面部２１Ａと第２の搭載面部２２と連結面部２３、２３と第３の端子部２４と第４の端子部２５とから成る。
【００７６】
第２の配置面部２１Ａは複数の導通部２６、２６、・・・がそれぞれ所定の位置に配置されて構成されている。第２の配置面部２１Ａの後端寄りの位置には結合用孔２１ａ、２１ａが形成されている。
【００７７】
尚、照明体３Ａにおいては、搭載部１９、１９、・・・と搭載部２７と結合部２８の何れにも係合孔が形成されていない。
【００７８】
照明体３Ａの基板６Ａにおいても基板６と同様に、各部が折り曲げられて形成され、折り曲げられる前の状態においては、図６に示すように、一枚の板状の金属材料を打ち抜いて各部が形成される。従って、基板６Ａの加工を容易に行うことが可能であり、製造時間の短縮化及び製造コストの低減を図ることができる。
【００７９】
照明体３Ａにおいては、結合片２８ｂ、２８ｂがそれぞれ結合孔１８ａ、１８ａに挿入された状態において、結合片部３３、３３の結合用突部３３ｂ、３３ｂが第２の配置面部２１Ａの結合用孔２１ａ、２１ａに嵌合された状態で挿入され、結合片部３３、３３が第２の配置面部２１Ａに結合される。尚、結合片部３３は延設部３３ａと結合用突部３３ｂが電気的に絶縁されており、結合片部３３と第２の配置面部２１Ａが電気的に非接続の状態にされている。
【００８０】
結合片部３３、３３が第２の配置面部２１Ａに結合されることにより、第１の搭載面部１４と第２の搭載面部２２が光軸方向に直交する方向において位置決めされ、第１の発光素子７、７、・・・に対する第２の発光素子８の光軸方向に直交する方向における位置決めが行われる。
【００８１】
このように照明体３Ａにあっては、結合片２８ｂ、２８ｂがそれぞれ結合孔１８ａ、１８ａに挿入された状態において結合片部３３、３３が第２の配置面部２１Ａに結合されることにより第１の発光素子７、７、・・・に対する第２の発光素子８の光軸方向に直交する方向における位置決めが行われるため、第１の発光素子７、７、・・・に対する第２の発光素子８の位置決めを容易かつ確実に行うことができる。
【００８２】
次いで、第３の実施の形態について説明する（図７乃至図９参照）。
【００８３】
尚、以下に示す第３の実施の形態に係る照明ユニットは、上記した第１の実施の形態に係る照明ユニット１と比較して、キャップが設けられておらず第１の発光素子に対する第２の発光素子の位置決めがキャップ以外の手段によって行われていることのみが相違するため、照明ユニット１と比較して異なる部分についてのみ詳細に説明をし、その他の部分については照明ユニット１における同様の部分に付した符号と同じ符号を付して説明は省略する。
【００８４】
第３の実施の形態に係る照明ユニットはハウジング２と照明体３Ｂを有している。
【００８５】
照明体３Ｂは基板６と第１の発光素子７、７、・・・と第２の発光素子８と第１の制御素子９、９、・・・と第２の制御素子１０、１０、・・・を有している（図７参照）。
【００８６】
第１の搭載面部１４の前面、即ち、第２の搭載面部２２に対向する面には枠状の第１の嵌合部材３４が取り付けられている（図８参照）。第１の嵌合部材３４は樹脂等の絶縁材料によって形成されている。
【００８７】
第２の搭載面部２２の後面、即ち、第１の搭載面部１４に対向する面には枠状の第２の嵌合部材３５が取り付けられている（図９参照）。第２の嵌合部材３５は樹脂等の絶縁材料によって形成され、例えば、外周の大きさ及び形状がそれぞれ第１の嵌合部材３４の内周の大きさ及び形状と略同じにされている。第２の嵌合部材３５は第２の発光素子８を囲む位置に取り付けられている。
【００８８】
照明体３Ｂにおいては、結合片２８ｂ、２８ｂがそれぞれ結合孔１８ａ、１８ａに挿入された状態において、第２の嵌合部材３５が第１の嵌合部材３４の内側に挿入されて嵌合され、第１の搭載面部１４と第２の搭載面部２２が光軸方向に直交する方向において位置決めされ、第１の発光素子７、７、・・・に対する第２の発光素子８の光軸方向に直交する方向における位置決めが行われる（図７参照）。
【００８９】
このように照明体３Ｂにあっては、結合片２８ｂ、２８ｂがそれぞれ結合孔１８ａ、１８ａに挿入された状態において第２の嵌合部材３５が第１の嵌合部材３４の内側に挿入されて嵌合されることにより第１の発光素子７、７、・・・に対する第２の発光素子８の光軸方向に直交する方向における位置決めが行われるため、第１の発光素子７、７、・・・に対する第２の発光素子８の位置決めを容易かつ確実に行うことができる。
【００９０】
尚、上記には、第２の嵌合部材３５の外周の大きさ及び形状がそれぞれ第１の嵌合部材３４の内周の大きさ及び形状と略同じにされた例を示したが、逆に、第２の嵌合部材３５の内周の大きさ及び形状がそれぞれ第１の嵌合部材３４の外周の大きさ及び形状と略同じにされ、第１の嵌合部材３４が第２の嵌合部材３５の内側に挿入されて嵌合されて第１の搭載面部１４と第２の搭載面部２２が光軸方向に直交する方向において位置決めされる構成にしてもよい。
【００９１】
以上に記載した通り、照明体３、３Ａ、３Ｂを有する照明ユニット１にあっては、第１の搭載面部１４と第２の搭載面部２２の少なくとも一部が光軸方向において離隔して重なる状態で位置され、第１の発光素子７、７、・・・と第２の発光素子８が光軸方向に直交する方向においてずれて位置されている。
【００９２】
従って、第１の搭載面部１４に搭載された第１の発光素子７、７、・・・と第２の搭載面部２２に搭載された第２の発光素子８との光軸方向に直交する方向における距離を小さくすることが可能になり、照明ユニット１の小型化を図ることができる。
【００９３】
また、第１の搭載面部１４に第２の発光素子８から出射される光が透過される光透過孔１４ａが形成されているため、第１の搭載面部１４と第２の搭載面部２２が重なった状態において第２の発光素子８から出射される光が光透過孔１４ａを透過される。従って、第２の発光素子８から出射される光が第１の搭載面部１４によって遮蔽されず、照明ユニット１における良好な照射状態を確保することができる。
【００９４】
さらに、第１の搭載面部１４が第１の配置面部１３に対して９０°折り曲げられ、第２の搭載面部２２が第２の配置面部２１に対して９０°折り曲げられている。従って、第１の搭載面部１４及び第２の搭載面部２２が第１の配置面部１３及び第２の配置面部２１に対して直交する方向を向き、照明ユニット１の一層の小型化を図ることができる。
【００９５】
尚、第１の発光素子７、７、・・・と第２の発光素子８は、図１０及び図１１に示すように、カバーレンズ３６や封止樹脂３７によって覆われて保護される構成にすることも可能である。このとき、例えば、第１の発光素子８を保護するカバーレンズ３６や封止樹脂３７を凸状に形成し、第１の発光素子７、７、・・・がカバーレンズ３６や封止樹脂３７によって覆われない構成にすることにより（図１２参照）、第２の発光素子８の出射位置（発光点）が実際の出射位置より後方に存在するように視認される。
【００９６】
従って、上記したように、第１の発光素子７、７、・・・と第２の発光素子８が光軸方向において離隔して位置され、両者の出射位置が光軸方向において異なる位置とされる場合においても、第１の発光素子７、７、・・・と第２の発光素子８の出射位置が前後方向において同じ位置に存在するように擬似的に視認させることが可能になる。
【００９７】
また、第１の発光素子７、７、・・・を保護するカバーレンズ３６、３６、・・・や封止樹脂３７、３７、・・・を凹状に形成し、第２の発光素子８がカバーレンズ３６や封止樹脂３７によって覆われない構成にすることにより（図１３参照）、第１の発光素子７、７、・・・の出射位置が実際の出射位置より前方に存在するように視認される。
【００９８】
従って、このような構成によっても第１の発光素子７、７、・・・と第２の発光素子８の出射位置が前後方向において同じ位置に存在するように擬似的に視認させることが可能になる。
【００９９】
尚、照明ユニット１においては、基板６、６Ａに搭載される第１の発光素子７と第２の発光素子８の数は任意であり、また、第１の発光素子７が第２の発光素子８より前方に位置されるように構成することも可能である。
【符号の説明】
【０１００】
１…照明ユニット、２…ハウジング、３…照明体、６…基板、７…第１の発光素子、８…第２の発光素子、９…第１の制御素子、１０…第２の制御素子、１３…第１の配置面部、１４…第１の搭載面部、１４ａ…光透過孔、１９ａ…係合孔（第１の係合部）、２１…第２の配置面部、２２…第２の搭載面部、２７ａ…係合孔（第２の係合部）、２８ａ…係合孔（第２の係合部）、３０…キャップ、３１…カバー部、３１ａ…光透過用開口、３２…係合突部、３０Ａ…キャップ、３２Ａ…係合突部、３Ａ…照明体、６Ａ…基板、３Ｂ…照明体
【図１】
2015216074.tif 000003
【図２】
2015216074.tif 000004
【図３】
2015216074.tif 000005
【図４】
2015216074.tif 000006
【図５】
2015216074.tif 000007
【図６】
2015216074.tif 000008
【図７】
2015216074.tif 000009
【図８】
2015216074.tif 000010
【図９】
2015216074.tif 000011
【図１０】
2015216074.tif 000012
【図１１】
2015216074.tif 000013
【図１２】
2015216074.tif 000014
【図１３】
2015216074.tif 000015